(57)【要約】【課題】本発明は、自動機に設けられた入力表示装置に関するものであり、特にタッチパネルを用い、表示内容に応じたタッチパネル動作領域の制御方式に関するものである。入力表示装置のタッチパネルは釦表示位置以外の領域も常時動作状態にあり、不要な電力を消費し、タッチパネルの寿命を加速していた。【解決手段】釦表示位置以外の領域もタッチパネルを常時動作状態にしないよう、表示画面毎の釦位置に対応したタッチパネル動作領域データを備え、タッチパネルの動作領域を制御すること。釦位置とタッチパネル動作領域を定期的に変更制御することを最も主要な特徴とする。【選択図】図５
2012128611.tif 000002
【特許請求の範囲】
【請求項１】
制御部にステータス毎の画面ファイルとその釦位置に対応したタッチパネル動作領域を格納し、領域毎に時分割動作制御が可能な方式のタッチパネルにおける、釦位置に対応したタッチパネル動作領域の制御方式。
【請求項２】
制御部にステータス毎のタイマカウンタと画面ファイルとその釦位置に対応したタッチパネル動作領域を格納し、領域毎に時分割動作制御が可能な方式のタッチパネルにおける、一定時間毎のタイマカウンタ変化に連動した釦位置とタッチパネル動作領域の制御方式。
【発明の詳細な説明】
【技術分野】
【０００１】
本発明は、自動機に設けられた入力表示装置に関するものであり、特にタッチパネルを用い、表示内容に応じたタッチパネル動作領域の制御方式に関するものである。
【背景技術】
【０００２】
従来、この種の入力表示装置における表示領域制御方式は、例えば国際公開番号ＷＯ０１／０９６２２４に記載の様に、操作表示部、タッチパネル、身長検出センサー、を具備し、エレベータ用操作盤をつぎのように動作させていた。
【０００３】
身長検出センサーの検出結果に基づき、エレベータの行き先階を指定する釦を表示する操作表示部の表示位置を移動させる。これにより、乗員の身長や状態にあわせて、呼釦の位置を変更することができ、使い勝手を向上するものである。
【先行技術文献】
【特許文献】
【０００４】
【特許文献１】国際公開番号ＷＯ０１／０９６２２４
【発明の概要】
【発明が解決しようとする課題】
【０００５】
上述のように、利用者の身長に応じて操作表示部の表示位置を移動させているが、タッチパネルは釦表示位置以外の領域も常時動作状態にあるため、不要な電力を消費し、タッチパネルの寿命を加速していた。
【課題を解決するための手段】
【０００６】
本発明は、釦表示位置以外の領域もタッチパネルを常時動作状態にしないよう、表示画面毎の釦位置に対応したタッチパネル動作領域データを備え、タッチパネルの動作領域を制御すること。釦位置とタッチパネル動作領域を定期的に変更制御することを最も主要な特徴とする。
【発明の効果】
【０００７】
本発明によれば、釦表示領域以外のタッチパネル動作を停止することにより、省エネルギー化。釦表示位置とタッチパネルの動作領域を定期的に変更することにより、タッチパネルのセンサー長寿命化が可能になる。
【図面の簡単な説明】
【０００８】
【図１】本発明の一実施例を示す構成図である。
【図２】本発明の実施例１の記憶装置に格納するデータテーブルである。
【図３】本発明の実施例２の記憶装置に格納するデータテーブルである。
【図４】本発明の実施例１の入力表示装置を示した説明図である。
【図５】本発明の実施例２の入力表示装置を示した説明図である。
【発明を実施するための形態】
【０００９】
以下、本発明の一実施例について説明を行なう。
【実施例１】
【００１０】
本発明の一実施例を示す構成図である図１において、入力表示装置６は、ＬＣＤなどの表示装置４、タッチパネルなどの入力装置５より構成される。入力表示装置６を制御する制御部３は、ＣＰＵ１、記憶装置２より構成され、記憶装置２にはデータ２２が格納される。表示装置４は、制御部３から送信される画面を表示する。入力装置５は、指入力などで検出した座標を制御部に送信する。
【００１１】
図２は、図１により説明した、データ２２のテーブルを示す表である。データ２２には、取引処理などのステータス毎に画面ファイルと、画面ファイルの釦位置に対応したタッチパネル動作領域が格納される。取引処理におけるステータス遷移に伴い、画面ファイルとタッチパネル動作領域を参照する。
【００１２】
図４は、図１により説明した、入力表示装置６について特に光学式タッチパネルにおける実施例１を示す図である。光学式タッチパネル５０は、発光素子５０１の対向に受光素子５０２を設置し、発光素子５０１からの光を指などで遮ることにより受光素子５０２で光量変化を検知し座標検出する。一般的な光学式タッチパネルでは、ｘ軸：１〜ｎ、次にｙ軸：１〜ｎ、の順に、発光素子５０１と受光素子５０２を一対毎に時分割繰返しの動作制御を行っている。なお、実施例１では光学式タッチパネルで説明しているが、タッチパネルの方式は光学式タッチパネルに特定せず、領域毎に時分割動作制御が可能な方式のタッチパネル、例えばデジタル抵抗膜方式タッチパネルや特殊静電容量方式（ワイヤータイプ）なども含むものとする。
【００１３】
表示装置４に釦表示５１１を表示する場合、図２のタッチパネル動作領域には、Ｂ（ｘ，ｙ）＝Ｂ＊（２〜４，１〜４）を格納し、制御部３から表示装置４へ画面ファイル（釦表示５１１）送信する。これと同期して制御部３から入力装置５へタッチパネル動作領域（Ｂ＊（２〜４，１〜４））を送信する。入力装置５の光学式タッチパネル５０では、受信したタッチパネル動作領域であるｘ軸：２〜４、ｙ軸：１〜４の発光素子５０１と受光素子５０２を一対毎に順次時分割繰返しで動作させる。この時、一画面あたりの発光素子５０１と受光素子５０２のスキャン時間は変更しない。なお、釦表示の配置は、釦表示５１１の様に一ブロックの配置に特定せず、複数ブロックが互いに離れる配置も含むものとする。
【００１４】
次に上記構成における作用を説明する。
【００１５】
本発明では、画面ファイル毎に設定されたタッチパネル動作領域の発光素子と受光素子を動作させる制御方式のため、動作対象外の発光素子と受光素子の動作を停止することが出来るため、省エネルギー化が可能である。
【実施例２】
【００１６】
図３は、図２により説明した、データ２２のテーブルに対応したタイマカウンタ毎の画面ファイルとタッチパネル動作領域を示す表である。
【００１７】
図５は、図１より説明した、入力表示装置６について特に光学式タッチパネルにおける実施例２を示す図である。
【００１８】
表示装置４に釦表示５１１をＰ（1）５２１の位置に表示する。この時点ではタイマカウンタ：１、画面ファイル：Ｐ（1）、タッチパネル動作領域：Ｂ＊（ｘ，ｙ）であり、Ｂ（ｘ，ｙ）＝Ｂ＊（２〜４，１〜４）に従い、光学式タッチパネル５０では、ｘ軸：２〜４、ｙ軸：１〜４の発光素子５０１と受光素子５０２を一対毎に順次時分割繰返しで動作させる。次に一定時間経過後にタイマカウンタをＵｐし、タイマカウンタ：２、画面ファイル：Ｐ（2）、タッチパネル動作領域：Ｂ＊（ｘ，ｙ＋ｍ）であり、Ｂ（ｘ，ｙ＋ｍ）＝Ｂ＊（２〜４，６〜ｎ）に従い、光学式タッチパネル５０では、ｘ軸：２〜４、ｙ軸：６〜ｎの発光素子５０１と受光素子５０２を一対毎に順次時分割繰返しで動作させる。さらに一定時間経過後にタイマカウンタ３を経て、タイマカウンタ：４、画面ファイル：Ｐ（4）、タッチパネル動作領域：Ｂ＊（ｘ＋ｍ，ｙ＋ｍ）であり、Ｂ（ｘ＋ｍ，ｙ＋ｍ）＝Ｂ＊（６〜９，６〜ｎ）に従い、光学式タッチパネル５０では、ｘ軸：６〜９、ｙ軸：６〜ｎの発光素子５０１と受光素子５０２を一対毎に順次時分割繰返しで動作させる。さらに一定時間経過後にタイマカウンタは１に戻り、以降繰り返す。この時、一画面あたりの発光素子５０１と受光素子５０２のスキャン時間は変更しない。なお、釦表示位置とタッチパネル動作領域の変更／移動の仕方はブロック単位に特定せず、発光素子・受光素子の１〜ｎライン単位の変更／移動も含むものとする。さらに、タッチパネルは光学式タッチパネルに特定せず、領域毎に時分割動作が可能な方式のタッチパネル、例えばデジタル抵抗膜方式タッチパネルや特殊静電容量方式（ワイヤータイプ）なども含むものとする。
次に上記構成における作用を説明する。
【００１９】
本発明では、画面ファイル毎に設定されたタッチパネル動作領域の発光素子と受光素子を動作させ、且つ一定時間毎に釦表示位置とタッチパネル動作領域を変更／移動する制御方式のため、動作対象外の発光素子と受光素子の動作を停止することが出来るため、省エネルギー化に加え、発光素子と受光素子を領域単位で時分割動作出来るため、発光素子と受光素子の長寿命化が可能である。
【符号の説明】
【００２０】
１…ＣＰＵ、２…記憶装置、２２…データ、３…制御部、４…表示装置、５…入力装置、５０…光学式タッチパネル、５０１…発光素子、５０２…受光素子、５１１…釦表示、５２１…画面ファイルＰ（1）、５２２…画面ファイルＰ（2）、５２３…画面ファイルＰ（3）、５２４…画面ファイルＰ（4）、６…入力表示装置。
【図１】
2012128611.tif 000003
【図２】
2012128611.tif 000004
【図３】
2012128611.tif 000005
【図４】
2012128611.tif 000006
【図５】
2012128611.tif 000007